(57)【要約】【課題】  記念日等の表示を容易に行うことができ、さらにデザイン性と斬新性に優れた装身具を提供する。【解決手段】  宝石５によって装飾が施された装飾部材２を備える装身具１であって、装飾部材２には、表面にレーザー照射によって複数の数字Ａが所定の間隔で刻印され、その刻印された数字Ａ部分の少なくとも一部に宝石取付部が形成され、その宝石取付部に宝石５が取付けられていることを特徴とする。【選択図】        図１
0003128783.tif 000002
【実用新案登録請求の範囲】
【請求項１】
宝石によって装飾が施された装飾部材を備える装身具であって、
前記装飾部材には、表面にレーザー照射によって複数の数字が所定の間隔で刻印され、その刻印された数字部分の少なくとも一部に宝石取付部が形成され、その宝石取付部に宝石が取付けられていることを特徴とする装身具。
【請求項２】
前記装飾部材の表面に刻印される複数の数字は、一部が連続する数字の羅列であり、記念日等を含む特定の日付に対応した数字部分が宝石取付部とされ、その宝石取付部に宝石が取付けられていることを特徴とする請求項１に記載の装身具。
【請求項３】
前記装飾部材の表面に刻印される複数の数字は、連続する１から３１の数字の羅列であり、記念日等を含む特定の日付に対応した数字部分が宝石取付部とされ、その宝石取付部に宝石が取付けられていることを特徴とする請求項１に記載の装身具。
【請求項４】
前記宝石は、誕生月に対応する誕生石であり、誕生日に対応する数字部分に前記誕生石が取付けられていることを特徴とする請求項１ないし請求項３のいずれか１項に記載の装身具。
【請求項５】
前記宝石取付部が凹部とされ、その凹部に前記宝石が取付けられていることを特徴とする請求項１ないし請求項４のいずれか１項に記載の装身具。
【考案の詳細な説明】
【技術分野】
【０００１】
本考案は、装身具に関する。
【背景技術】
【０００２】
ペンダントや指輪などのジュエリーは、誕生や結婚の記念など、何らかの記念に際して購入されることが多い。そしてジュエリーには、誕生日や結婚記念日などの特定の日付を刻印することによって、オリジナル性や唯一性を持たせて使用されているものがある。このような特定の日付の刻印は、ペンダントのペンダントヘッドの裏面や、指輪の内側に施すのが一般的である。
【考案の開示】
【考案が解決しようとする課題】
【０００３】
しかし、既製のデザインのジュエリーの裏面や内側に刻印を施すようにしているため、斬新性がなく、刻印する前後において変化が少ない。また、限られた狭いスペースに刻印をしなければならないため、刻印を施す作業がし難く、手間がかかる。さらに、購入者にとっての特定の日付であることから、注文を受けてから、購入者が希望する日付を一つ一つ手作業や刻印機を用いて刻印を施さなければならない。
【０００４】
本考案は、上記問題を鑑みて為されたものであり、記念日等の表示を容易に行うことができ、さらにデザイン性と斬新性に優れた装身具を提供することを目的とする。
【課題を解決するための手段及び考案の効果】
【０００５】
上記の課題を解決するために、本考案の装身具は、
宝石によって装飾が施された装飾部材を備える装身具であって、
前記装飾部材には、表面にレーザー照射によって複数の数字が所定の間隔で刻印され、その刻印された数字部分の少なくとも一部に宝石取付部が形成され、その宝石取付部に宝石が取付けられていることを特徴とする。
【０００６】
このような装身具によれば、身につける装身具の装飾部材に、レーザー照射によって複数の数字が刻印されるとともに、その刻印された数字部分に宝石が取付けられることにより、その宝石が取付けられた数字に特定の意味合いを持たせることができ、メッセージ性の込められた装身具となる。
【０００７】
また、装飾部材の表面に刻印される複数の数字は、一部が連続する数字の羅列であり、記念日等を含む特定の日付に対応した数字部分が宝石取付部とされ、その宝石取付部に宝石が取付けられている。このように、一部が連続する数字の羅列を刻印し、特定の数字部分に宝石を取付けることで、その数字部分に特定の意味合いを持たせることができる。また、数字の刻印を、一部が連続する数字とすることによって、装飾部材の数字の刻印を施す領域を小さくすることができる。これによって、異なった装飾が施された装飾部材の一部分の少ない領域において、特定の意味合いを表示させることができる。
【０００８】
また、装飾部材の表面に刻印される複数の数字は、連続する１から３１の数字の羅列であり、記念日等を含む特定の日付に対応した数字部分が宝石取付部とされ、その宝石取付部に宝石が取付けられているものとすることができる。このように、１ヶ月の日にちを表す１から３１の数字を刻印し、特定の数字部分に宝石を取付けることによって、特定の日付を表示することができる。さらに、予め数字が刻印された装身具を用意しておくことで、購入者からの注文後には、記念日に対応する数字部分に宝石を取付ける作業のみで特定の日付を表すことができ、容易に記念日等を表示することができる。
【０００９】
また、宝石は、誕生月に対応する誕生石であり、誕生日に対応する数字部分に誕生石が取付けられている。このように、誕生日に対応する数字部分に誕生石を取付けることによって、誕生日の月日を容易に表示することができる。
【００１０】
また、宝石取付部が凹部とされ、その凹部に宝石が取付けられるとすることができる。このように宝石取付部を凹部とし、その凹部に宝石をはめ込んで取付けることによって、装飾部材と宝石との表面が凹凸のない滑らかな面とすることができ、宝石が衣服や他のものに引っ掛かることがなくなる。
【考案を実施するための最良の形態】
【００１１】
以下、本考案の実施の形態を、図面を用いて説明する。図１は、本考案にかかる装身具の第一実施例を示す。ペンダント（装身具）１は、ペンダントヘッド（装飾部材）２と、首にかけるためのチェーン３と、チェーン３を連結するための連結部４とを備えている。
【００１２】
ペンダントヘッド２は、例えば１８金、プラチナ、ホワイトゴールド、シルバー等の貴金属によって形成される。このペンダントヘッド２は、公知のロストワックス法による鋳造等によって成形されている。なお、この実施例ではペンダントヘッド２を十字架形に形成しているが、これに限らず、例えばハート形、スペード形、菱形、アルファベット文字形、星形等の様々な形態として形成することも可能である。
【００１３】
ペンダントヘッド２の表面には、レーザー照射によって１ヶ月の日にちを表す１から３１の数字Ａが等間隔に刻印されている。なお、刻印される数字は、１から３１の数字に限定されるものではなく、また、数字の表示も、１・・・５・・・１０のように中間を省略して表示したり、一・二・三のように漢数字で表示しても良い。
【００１４】
そして、レーザー刻印された数字Ａのうち、誕生日に対応した数字部分Ｂには、図２に示すように、宝石５が取付けられている。すなわち、図３に示すように、ペンダントヘッド２の表面に刻印された特定の数字部分Ｂに、円錐状に孔を形成して凹部（宝石取付部）６とし、凹部６に宝石５を嵌合し鑞付けして一体に固着するようにして、凹部６に宝石５を取付けている。この凹部６に宝石５を取付ける方法として、宝石５の上面の周囲に伏せ込みを施したり、宝石５上面の周囲に爪止めを施して取付けるとしても良い。
【００１５】
図４は、チェーン３とペンダントヘッド２の連結部分を示す図であって、図４（ａ）に示すように、ペンダントヘッド２には、貫通孔が形成されて連結部４とされており、直接チェーン３を通してチェーンつきのペンダント１とされている。
なお、図４（ｂ）に示すように、ペンダントヘッド２の外縁に連結部４’が紋形状に一体化されて突出し、そこに金具７が連結され、さらにこの金具７にチェーン３が通されてチェーンつきのペンダント１とすることもできる。連結部４’に対して金具７はまわり動くことが可能である。
【００１６】
図５に、本考案の第２実施例を示す。ペンダントヘッド２の形態は、円形等のループ形状にして形成することも可能である。例えば、図５（ａ）は、ハート形のループ形状としてペンダントヘッド２１を形成している。このようにループ形状に形成することによって、デザイン効果を現出するとともに、図５（ｂ）に示すようにペンダントヘッド２１に直接チェーン３を連結してペンダント１１とすることも可能となる。
【００１７】
図６に、本考案の第３実施例を示す。図１では、装飾部材（ペンダントヘッド）２に数字の刻印が施されて宝石５が取付けられ、チェーン３が連結されてペンダント１として構成しているが、図６に示すように、装飾部材２２を環状に形成し、両端部を結合する留め金具８ａ、８ｂを設けて、首からかけることのできる構成としてペンダント１２を形成してもよい。
【００１８】
図７に、本考案の第４実施例を示す。ペンダントヘッド２の表面に刻印される数字Ａを一部が連続する数字の羅列として形成することも可能である。図７には、数字を１から５の数字Ａ’としてペンダントヘッド２３に刻印を施した例を示している。このように、刻印する数字Ａ’を一部が連続する数字とすることによって、数字の刻印のために必要とする領域を小さくすることができる。したがって、他の装飾Ｘを多く施すことが可能となり、その内の少ない領域で特定の意味合いを表示させたペンダント１３とすることができる。
【００１９】
図８に、本考案の第５実施例を示す。図１では、１箇所のみに宝石を取付けて記念日を表示している構成を示したが、複数箇所に宝石を取付けて記念日を表示することも可能である。図８では、２箇所Ｂ１、Ｂ２に宝石５を取付けて構成している。これによって、自身の結婚記念日と誕生日との２つの記念日や、自身の誕生日と生まれてきた赤ちゃんの誕生日との２つの記念日など、複数の記念日を一つのペンダントヘッド２４に表示させたペンダント１４とすることができる。
【００２０】
以上のペンダント１は、例えば次のように使用される。まず、購入予定者が店舗にて、希望する形態のペンダント１を選ぶ。そして、そのペンダント１に表示したい結婚や誕生などの記念日を決定する。この時、ペンダントヘッド２に数字の刻印が既に施されている状態で商品として展示しても良いし、数字の刻印が施されていない状態で展示し、注文を受けてから数字の刻印を施すとすることも可能である。
【００２１】
そして、購入者が希望する宝石５を、その記念日に対応する数字部分に取り付ける。図１に示すように、数字２７の部分に購入者が希望する宝石を取り付けることによって、「２７日」を表現することができ、購入者にとっての記念日を表示した装身具とすることができる。
【００２２】
ここで、宝石にはいわゆる誕生石と言われるものがある。例えば、１月はガーネット、２月はアメジスト、３月はアクアマリンといったものである。よって、記念日として誕生日の日付を決定し、宝石５を、誕生月に相当する誕生石とすることによって、日にちだけでなく月まで表現することができる。例えば、４月の誕生石であるダイヤモンドを数字２７の部分に取付けることによって、「４月２７日」を表現することができ、誕生日を表示した装身具とすることができる。
【００２３】
このように、装飾部材の表面にデザイン的に記念日等を表示することができ、また、表示する数字部分や宝石を選んで装身具とすることにより、オリジナリティ及び希少価値が高まり、購入者にとってより貴重な装身具とすることができる。
【００２４】
また、購入者が希望する日付の刻印を一つ一つ施す必要がなく、所定の数字の刻印を施して宝石を取り付けるという作業のみで特定の意味合いを表現することができ、容易に記念日等の表示をすることができる。
【００２５】
以上、本考案の実施形態について説明したが、本考案はこれらの形式に限定されるものではなく、これらに具現された考案と同一性の範囲内において適宜変更して実施し得る。例えば、本実施例ではペンダントの実施例のみ説明したが、ブローチ、ブレスレット、アンクレット等についても適用可能である。
【図面の簡単な説明】
【００２６】
【図１】本考案の第１実施形態であるペンダントの斜視図。
【図２】宝石を取付けた状態を示す拡大図。
【図３】宝石を取付けた状態を示す側面図。
【図４】チェーンと装飾部材の連結部分の図。
【図５】本考案の第２実施形態であるペンダントの斜視図。
【図６】本考案の第３実施形態であるペンダントの正面図。
【図７】本考案の第４実施形態であるペンダントの斜視図。
【図８】本考案の第５実施形態であるペンダントの斜視図。
【符号の説明】
【００２７】
１      装身具（ペンダント）
２      装飾部材（ペンダントヘッド）
３      チェーン
４      連結部
５      宝石
６      宝石取付部（凹部）
７      金具
８ａ、８ｂ      留め金具
【図１】
0003128783.tif 000003
【図２】
0003128783.tif 000004
【図３】
0003128783.tif 000005
【図４】
0003128783.tif 000006
【図５】
0003128783.tif 000007
【図６】
0003128783.tif 000008
【図７】
0003128783.tif 000009
【図８】
0003128783.tif 000010